(57)【特許請求の範囲】
【請求項１】
ディスク装置内に挿入された大小２種の径のディスクを、それぞれディスクの再生若しくは記録が可能な位置に位置決めするディスク位置決め機構において、
搬入されたディスクに当接し、大径のディスクを位置決め可能な範囲で、ディスクの移動方向に移動可能に設けられたディスクストッパと、
前記ディスクストッパの移動とともに回動可能に設けられたストッパリンクと、
前記ストッパリンクの回動量を、前記ディスクストッパが小径のディスクを位置決め可能な範囲に規制する規制部と、
回動する前記ストッパリンクに付勢されることによって、他部材を付勢する方向に移動可能に設けられるとともに、大径のディスクに当接したときのみに、前記ストッパリンクを前記規制部による規制から解放する方向に回動可能に設けられたセンサアームとを有することを特徴とするディスク位置決め機構。
【請求項２】
前記ストッパリンク及び前記センサアームとの間に、前記ストッパリンクをディスク排出方向に付勢するとともに、前記センサアームを大径のディスクに当接する方向に付勢する弾性部材が設けられていることを特徴とする請求項１記載のディスク位置決め機構。
【請求項３】
前記センサアームに対する前記ストッパリンクの付勢量が一定となるように、大径のディスク挿入時と小径のディスク挿入時とにおいて、前記ストッパリンクによる前記センサアームに対する付勢端の位置を切り替えるカム手段が、前記センサアーム及び前記ストッパリンクに設けられていることを特徴とする請求項１又は請求項２記載のディスク位置決め機構。
【請求項４】
ディスクを載置するターンテーブル、前記ターンテーブル上にディスクを圧着するクランパ、前記クランパをディスク圧着方向及びディスク解放方向に移動させるクランパアーム、スライド部材の移動を契機として前記クランパアームを駆動する駆動機構とを備え、
前記ディスクストッパ、前記ストッパリンク、前記規制部及び前記センサアームは、前記クランパアームに設けられ、
前記センサアームによって付勢される前記他部材は、前記スライド部材であることを特徴とする請求項１〜３のいずれか１項に記載のディスク位置決め機構。
【請求項５】
前記クランパによるディスク圧着時に、前記ターンテーブル上のディスクから前記ディスクストッパが離れるように、前記センサアームの位置をロックするロック部材を備えたことを特徴とする請求項４記載のディスク位置決め機構。
【発明の詳細な説明】
【０００１】
【発明の属する技術分野】
本発明は、大小２種の径のディスクを、そのディスク径に応じて、ディスク装置における適切な位置に位置決めするディスク位置決め機構に関する。
【０００２】
【従来の技術】
近年、ＣＤ、ＣＤ−ＲＯＭやＤＶＤ−ＲＯＭのような円盤状の記録媒体（以下、ディスクと呼ぶ）は、様々な規格のものが開発されて普及しており、その記録再生を行なうためのディスク装置も、複数種の径のディスクを兼用できるものが多い。一般的なディスクの径は、１２ｃｍと８ｃｍのものに規格化されており、ディスク装置内には、これらの２種のディスク径を自動的に判別してターンテーブル上に位置決めするディスク位置決め機構を備えている。
【０００３】
このようなディスク位置決め機構の一例として、８ｃｍと１２ｃｍのＣＤの再生が可能なＣＤプレーヤに適用したものを、図面を参照して以下に説明する。なお、図面における下方を前方、上方を後方とする。すなわち、図７及び図８に示すように、ＣＤプレーヤのシャーシ（図示せず）内には、ターンテーブルや光学ピックアップ及びその送り機構などを有するディスク再生部、ディスクの引き込み及び排出を行うローディングローラＡなどを有するディスクローディング部等が設けられたドライブユニットＸが配設されている。
【０００４】
このドライブユニットＸには、クランパアーム１が上下方向に回動可能に設けられている。クランパアーム１の前端には、その回動に従ってディスクの中心穴部分をターンテーブル上に装着するためのクランパ（図示せず）が取り付けられている。このクランパアーム１の中央部には、前後方向の直線状のスライド溝１ａが形成されている。また、クランパアーム１におけるスライド溝１ａの右側には、略円弧形状のガイド穴１ｂが設けられている。そして、クランパアーム１には、ディスクの挿入排出時の位置決めを行なうための部材として、ディスクストッパ２、ストッパリンク３、ロックリンク４、センサアーム５が配設されている。なお、ドライブユニットＸには、ラックＲ１の前後のスライド移動を契機として、クランパアーム１を回動させるディスクチャッキング機構（図示せず）が設けられている。
【０００５】
ディスクストッパ２は左右方向に長いプレートであり、その中央部にはスライダ２ａが取り付けられている。このスライダ２ａは、クランパアーム１のスライド溝１ａに、前後にスライド移動可能に設けられている。また、ディスクストッパ２には、挿入されたディスクの縁に当接してディスクの位置決めを行なう当接部２ｂが形成されている。ストッパリンク３は、軸３ａを介してクランパアーム１に回動可能に設けられている。ストッパリンク３の一端は、スライダ２ａに対して一定の裕度を持って回動可能に取り付けられているので、ストッパリンク３は、ディスクストッパ２の移動とともに回動するように構成されている。さらに、ストッパリンク３の一端と軸３ａとの間には、ガイド穴１ｂに挿通されたダボ３ｂが設けられている。
【０００６】
ロックリンク４は、クランパアーム１に対して、ストッパリンク３と同軸に回動可能に且つ左右にスライド移動可能に設けられている。このロックリンク４の左端近傍には、ダボ３ｂが挿通された規制穴４ａが形成されている。規制穴４ａは略円弧形状であり、その両端は、ダボ３ｂの移動を規制するために左方に曲がった規制部となっている。また、ロックリンク４の後部右隅近傍には、Ｌ字形状のカム穴４ｂが形成されている。さらに、ロックリンク４の前部右隅には、ラックＲ１を付勢する付勢部４ｃが設けられている。なお、ロックリンク４とストッパリンク３との間には、引張コイルばね６が設けられている
【０００７】
センサアーム５は前後方向に長い部材であり、クランパアーム１の右縁近傍に軸５ａを中心として回動可能に設けられている。センサアーム５の後端には、カム穴４ｂに挿通されたカムピン５ｂが取り付けられている。センサアーム５の前端には、１２ｃｍディスクの縁に当接するセンサピン５ｃが取り付けられている。そして、センサアーム５とロックリンク４との間には引張コイルばね７が設けられ、センサアーム５とクランパアーム１との間には引張コイルばね８が設けられている。
【０００８】
以上のような構成を有する従来のディスク位置決め機構の作用は、以下の通りである。すなわち、図８に示すように、シャーシ前方のディスク挿入口（図示せず）から８ｃｍディスクＤ１が挿入された場合には、ディスクＤ１は、ローディングローラＡによってドライブユニットＸ内に引き込まれる。このとき、ディスクＤ１はその径が小さいため、センサアーム５におけるセンサピン５ｃには当接せずに後方へ移動する。
【０００９】
すると、図９に示すように、ディスクＤ１の後縁がディスクストッパ２の当接部２ｂに当接して、ディスクストッパ２が後方に移動するので、ストッパリンク３が図中時計方向に回動する。同時に、ストッパリンク３におけるダボ３ｂが、ロックリンク４における規制穴４ａ前端の規制部を後方に付勢するので、ロックリンク４も図中時計方向に回動する。これにより、ロックリンク４の付勢部４ｃがラックＲ１を前方に押圧するので、ラックＲ１が前方に移動してチャッキング動作が開始する。
【００１０】
また、図１０に示すように、ディスク挿入口から１２ｃｍディスクＤ２が挿入された場合には、ディスクＤ２は、ローディングローラＡによってドライブユニットＸ内に引き込まれる。このとき、ディスクＤ２はその径が大きいため、図１１に示すように、センサアーム５におけるセンサピン５ｃに当接して、センサアーム５を図中反時計方向に回動させる。すると、センサアーム５におけるカムピン５ｂが、ロックリンク４のカム穴４ｂを左方に付勢するので、ロックリンク４が左方に移動する。そして、クランパアーム１におけるガイド穴１ｂとロックリンク４における規制穴４ａによって、ストッパリンク３におけるダボ３ｂが移動する経路ができる。
【００１１】
同時に、ディスクＤ２がディスクストッパ２を付勢するので、スライダ２ａがスライド溝１ａの後端に達するまで、ストッパリンク３が図中時計方向に回動する。そして、図１２に示すように、ダボ３ｂがロックリンク４における規制穴４ａの後端の規制部に達してこれを後方に付勢すると、ストッパリンク３も図中時計方向に回動する。これにより、ロックリンク４の付勢部４ｃがラックＲ１を前方に押圧するので、ラックＲ１が前方に移動してチャッキング動作が開始する。なお、ローディングローラＡによってディスクＤ１及びＤ２が排出される時には、引張コイルばね６〜８の付勢力によって、ディスクストッパ２、ストッパリンク３、ロックリンク４、センサアーム５が上記と逆の動作をして初期状態に復帰する。
【００１２】
【発明が解決しようとする課題】
ところで、上記のような従来のディスク位置決め機構においては、８ｃｍディスクＤ１及び１２ｃｍディスクＤ２をそれぞれ適切な位置に位置決めするために、ディスクストッパ２、ストッパリンク３、ロックリンク４及びセンサアーム５を必要とし、これらの部材を初期状態へ復帰させるために３つの引張コイルばね６〜８を備えていた。このため、部品点数が多くなり、それが材料費及び加工費を増大させ、製造コスト高となっていた。また、互いに接触して可動する部品の点数が多くなると、種々の故障や低級音の発生等の可能性が増えるため、信頼性の点で不利であった。
【００１３】
本発明は、以上のような従来技術の問題点を解決するために提案されたものであり、その目的は、部品点数が少なく、低コストで高い信頼性が得られるディスク位置決め機構を提供することにある。
【００１４】
【課題を解決するための手段】
上記の目的を達成するため、本発明は、ディスク装置内に挿入された大小２種の径のディスクを、それぞれディスクの再生若しくは記録が可能な位置に位置決めするディスク位置決め機構において、以下のような技術的特徴を有する。
【００１５】
すなわち、請求項１記載の発明は、搬入されたディスクに当接し、大径のディスクを位置決め可能な範囲で、ディスクの移動方向に移動可能に設けられたディスクストッパと、前記ディスクストッパの移動とともに回動可能に設けられたストッパリンクと、前記ストッパリンクの回動量を、前記ディスクストッパが小径のディスクを位置決め可能な範囲に規制する規制部と、回動する前記ストッパリンクに付勢されることによって、他部材を付勢する方向に移動可能に設けられるとともに、大径のディスクに当接したときのみに、前記ストッパリンクを前記規制部による規制から解放する方向に回動可能に設けられたセンサアームとを有することを特徴とする。
【００１６】
以上のような請求項１記載の発明では、ディスク装置内に小径のディスクが挿入された場合には、ディスクはディスクストッパに当接し、これによりディスクストッパが移動するとともに、ストッパリンクが回動する。但し、ストッパリンクの回動量は規制部によって規制されているので、ディスクは再生若しくは記録が可能な位置に停止する。また、ストッパリンクの回動によってセンサアームが付勢されて移動するので、センサアームによって他部材が付勢されて移動する。すると、他部材の移動を契機として、ディスク装置における他の機構を動作させることができる。
また、ディスク装置内に大径のディスクが挿入された場合には、ディスクはセンサアームに当接し、ストッパリンクが規制部による規制から解放される。さらに、ディスクはディスクストッパに当接し、これによりディスクストッパが移動するとともに、ストッパリンクが回動する。但し、ストッパリンクの回動量は規制部によって規制されていないので、大径のディスクはその再生若しくは記録が可能な位置で停止する。また、ストッパリンクの回動によってセンサアームが付勢されて移動するので、センサアームによって他部材が付勢されて移動する。すると、他部材の移動を契機として、ディスク装置における他の機構を動作させることができる。
以上のように、ディスクストッパ、ストッパリンク及びセンサアームによって、大径及び小径のディスクをそれぞれ適切に位置決めできるとともに、ディスクの位置決めを契機として他の機構を動作させることができるので、部品点数の削減によるコストダウン及び信頼性の向上を図ることが可能となる。
【００１７】
請求項２記載の発明は、請求項１記載のディスク位置決め機構において、前記ストッパリンク及び前記センサアームとの間に、前記ストッパリンクをディスク排出方向に付勢するとともに、前記センサアームを大径のディスクに当接する方向に付勢する弾性部材が設けられていることを特徴とする。
【００１８】
以上のような請求項２記載の発明では、弾性部材のみの付勢力によって、ディスクストッパ、ストッパリンク及びセンサアームを、ディスク挿入前の初期状態に自動的に復帰させることができるので、構造が簡略化され、部品点数の削減によるコストダウン及び信頼性の向上をより一層実現できる。
【００１９】
請求項３記載の発明は、請求項１又は請求項２記載のディスク位置決め機構において、前記センサアームに対する前記ストッパリンクの付勢量が一定となるように、大径のディスク挿入時と小径のディスク挿入時とにおいて、前記ストッパリンクによる前記センサアームに対する付勢端の位置を切り替えるカム手段が、前記センサアーム及び前記ストッパリンクに設けられていることを特徴とする。
【００２０】
以上のような請求項３記載の発明では、カム手段によって、センサアームに対するストッパリンクの付勢量が一定に維持されるので、センサアームの動作が安定し、信頼性のより一層の向上につながる。
【００２１】
請求項４記載の発明は、請求項１〜３のいずれか１項に記載のディスク位置決め機構において、ディスクを載置するターンテーブル、前記ターンテーブル上にディスクを圧着するクランパ、前記クランパをディスク圧着方向及びディク解放方向に移動させるクランパアーム、スライド部材の移動を契機として前記クランパアームを駆動する駆動機構とを備え、前記ディスクストッパ、前記ストッパリンク、前記規制部及び前記センサアームは、前記クランパアームに設けられ、前記センサアームによって付勢される前記他部材は、前記スライド部材であることを特徴とする。
【００２２】
以上のような請求項４記載の発明では、ディスク挿入と位置決めによって、センサアームがスライド部材を付勢し、これを契機としてクランパアームが移動するので、ディスクの位置決め後、クランパによってターンテーブル上に自動的にディスクが圧着される。従って、少ない部品点数によって、ディスクの位置決めとターンテーブル上への装着を実現することができ、コストダウンや信頼性の向上が可能となる。
【００２３】
請求項５記載の発明は、請求項４記載のディスク位置決め機構において、前記クランパによるディスク圧着時に、前記ターンテーブル上のディスクから前記ディスクストッパが離れるように、前記センサアームの位置をロックするロック部材を備えたことを特徴とする。
【００２４】
以上のような請求項５記載の発明では、再生時に回転するディスクの縁にディスクストッパが接触することがなく、ディスクの回転動作が安定する。
【００２５】
【発明の実施の形態】
次に、本発明の実施の形態について、図面を参照して具体的に説明する。なお、本実施の形態は、８ｃｍと１２ｃｍのＣＤの再生が可能なＣＤプレーヤのディスク位置決め機構に適用したものであり、上記の従来技術と同様の部材は同一の符号を付して説明を省略する。
【００２６】
［１．実施の形態の構成］
まず、本実施の形態の構成を説明する。なお、図面における下方を前方、上方を後方とする。すなわち、図１及び図２に示すように、ＣＤプレーヤのシャーシ内におけるドライブユニットＸには、クランパアーム１０が上下方向に回動可能に設けられている。このクランパアーム１０の中央部には、前後方向の直線状のスライド溝１０ａが形成されている。また、クランパアーム１０におけるスライド溝１０ａの右側には、略円弧形状のガイド穴１０ｂが設けられている。このガイド穴１０ｂの前端には、右方へ切り欠かれた規制部Ｓ１（請求項に記載の規制部）が形成されている。クランパアーム１０の後部右隅近傍には、左右方向に長いストッパリンク用軸穴１０ｃが形成されている。クランパアーム１０の前部右隅近傍には、前後方向に長いセンサアーム用軸穴１０ｄが形成されている。さらに、クランパアーム１０の後端には、後述するディスクストッパ２０の板ばね部２０ｃに当接して停止させるための停止部１０ｅが設けられている。
【００２７】
そして、クランパアーム１０には、ディスクの挿入排出時の位置決めを行なうための部材として、ディスクストッパ２０、ストッパリンク３０、センサアーム５０が配設されている。なお、ドライブユニットＸには、ラックＲ２の前後のスライド移動を契機として、クランパアーム１を回動させるディスクチャッキング機構（図示せず）が設けられている。また、このディスクチャッキング機構には、図示はしないが、ディスクチャッキング時にセンサアーム５０の位置をロックするシフトレバー（請求項に記載のロック部材）が設けられている。
【００２８】
ディスクストッパ２０は左右方向に長いプレートであり、その中央部にはスライダ２０ａが取り付けられている。このスライダ２０ａは、クランパアーム１０のスライド溝１０ａに前後にスライド移動可能に設けられている。また、ディスクストッパ２０には、挿入されたディスクの縁に当接してディスクの位置決めを行なう当接部２０ｂが左右に形成されている。さらに、ディスクストッパ２０の後端には、クランパアーム１０における停止部１０ｅに当接する板ばね部２０ｃが設けられている。なお、ディスクストッパ２０は、ディスクが左右の当接部２０ｂに当接したときにのみ前後に移動し、いずれか一方の当接部２０ｂに当接したときには、スライダ２０ａが傾斜してディスクストッパ２０の移動をロックするように構成されている。
【００２９】
ストッパリンク３０は、軸３０ａを介して、クランパアーム１０におけるストッパリンク用軸穴１０ｃに回動可能に且つ左右にスライド移動可能に設けられている。ストッパリンク３０の一端は、スライダ２０ａに対して一定の裕度を持って回動可能に取り付けられているので、ストッパリンク３０は、ディスクストッパ２０の移動とともに回動するように構成されている。また、ストッパリンク３０には、クランパアーム１０のガイド穴１０ｂに挿通されたダボ３０ｂが設けられている。さらに、ストッパリンク３０の他端近傍にはカム穴３０ｃが設けられている。このカム穴３０ｃの前端には、略Ｌ字形の規制部Ｓ２が形成されている。
【００３０】
センサアーム５０は前後方向に長い部材であり、軸５０ａを介して、クランパアーム１０におけるセンサアーム用軸穴１０ｄに回動可能に且つ前後方向にスライド移動可能に設けられている。センサアーム５０の後部には、カム穴３０ｃに挿通されたカムピン５０ｂが設けられている。このカム穴３０ｃとカムピン５０ｂによって請求項に記載のカム手段が構成されている。そして、センサアーム５０の後端には、センサアーム５０の前方移動に従ってラックＲ２を付勢する付勢部５０ｃが設けられている。また、センサアーム５０の前端には、１２ｃｍディスクの縁に当接する接触部５０ｄが設けられている。さらに、ストッパリンク３０とセンサアーム５０との間には、引張コイルばね６０（請求項に記載の弾性部材）が設けられている。
【００３１】
［２．実施の形態の作用］
以上のような本実施の形態の作用を、８ｃｍディスクの挿入時及び排出時と１２ｃｍディスクの挿入時及び排出時とに分けて説明する。
【００３２】
［８ｃｍディスク挿入時］
図２に示すように、ディスク挿入口から８ｃｍディスクＤ１が挿入された場合には、ディスクＤ１は、ローディングローラＡによってドライブユニットＸ内に引き込まれる。すると、図３に示すように、後方へ移動するディスクＤ１の後縁がディスクストッパ２０の左右の当接部２０ｂに当接して、ディスクストッパ２０が後方に移動するので、ストッパリンク３０におけるダボ３０ｂが、ガイド穴１０ｂの規制部Ｓ１の後端に当接するまで、ストッパリンク３０が図中時計方向に回動する。同時に、ストッパリンク３０におけるカム穴３０ｃの規制部Ｓ２によって、センサアーム５０のカムピン５０ｂが前方に付勢されるので、センサアーム５０が前方にスライド移動する。すると、センサアーム５０における付勢部５０ｃがラックＲ２を前方に押圧するので、ラックＲ２が前方に移動してディスクチャッキング動作が開始する。
【００３３】
このディスクチャッキング時には、ディスクチャッキング機構におけるシフトレバーがセンサアーム５０の位置をロックするので、クランパアーム１０のディスク圧着方向への回動とともに、ディスクストッパ２０とディスクＤ１の後端との間にクリアランスが生じ、再生時に回転するディスクＤ１の縁にディスクストッパ２０が接触することがなく、ディスクＤ１の回転動作が安定する。さらに、ラックＲ２はディスクチャッキング機構のギア等と噛み合うことにより、センサアーム５０の付勢部５０ｃに付勢された位置よりもさらに前方に移動するので、ディスクＤ１の再生中は、付勢部５０ｃとラックＲ２は当たっていない。
【００３４】
なお、ディスクＤ１の挿入位置が左右にずれていた場合には、いずれか一方の当接部２０ｂに当接しても、スライダ２０ａが傾斜してディスクストッパ２０の移動がロックされるので、ディスクストッパ２０は移動を開始せず、ディスクＤ１が左右の当接部２０ｂに当接する位置にまで自動的に案内される。特に、ディスクＤ１の挿入位置が右にずれていた場合には、センサアーム５０における接触部５０ｄに当接する可能性があるが、ディスクＤ１はその径が小さいため、センサアーム５０を回動させる程の力を加えることはない。
【００３５】
［８ｃｍディスク排出時］
さらに、ローディングローラＡによって８ｃｍディスクＤ１が排出される時には、ディスクチャッキング機構によってディスクＤ１が解放され、シフトレバーがセンサアーム５０のロックを解除するので、ディスクストッパ２０の当接部２０ｂが、ディスクＤ１の後縁に当接する。すると、ディスクＤ１の前方移動とともに、スライダ２０ａがスライド溝１０ａの前端に当接して初期位置に復帰するまで、引張コイルばね６０の付勢力によってストッパリンク３０が図中反時計方向に回動する。同時に、ストッパリンク３０におけるカム穴３０ｃの規制部Ｓ２によって、センサアーム５０のカムピン５０ｂが後方に付勢されるので、センサアーム５０が後方にスライド移動する。
【００３６】
［１２ｃｍディスク挿入時］
また、図４に示すように、ディスク挿入口から１２ｃｍディスクＤ２が挿入された場合には、ディスクＤ２は、ローディングローラＡによってドライブユニットＸ内に引き込まれる。このとき、ディスクＤ２はセンサアーム５０における接触部５０ｄに当接して、センサアーム５０を反時計方向に回動させる。すると、図５に示すように、センサアーム５０におけるカムピン５０ｂが、ストッパリンク３０におけるカム穴３０ｃの規制部Ｓ２から外れ、カム穴３０ｃを左方へ付勢する。よって、ストッパリンク３０が左方へ移動して、ダボ３０ｂがガイド穴１０ｂの規制部Ｓ１と当接するコースから外れる。
【００３７】
これにより、ストッパリンク３０は、規制部Ｓ１よりも後方へ回動できるようになり、後方へ移動するディスクＤ２がディスクストッパ２０を付勢することによって、図６に示すように、クランパアーム１０の停止部１０ｅに、ディスクストッパ２０の板ばね部２０ｃが当たって撓んで止まるまで、ストッパリンク３０が引張コイルばね６０の付勢力に抗して図中時計方向に回動する。同時に、ストッパリンク３０におけるカム穴３０ｃの後端によって、センサアーム５０のカムピン５０ｂが前方に付勢されるので、センサアーム５０が前方にスライド移動する。すると、センサアーム５０における付勢部５０ｃが、ラックＲ２を前方に押圧するので、ラックＲ２が前方に移動してチャッキング動作が開始する。
【００３８】
このディスクチャッキング時には、ディスクチャッキング機構におけるシフトレバーがセンサアーム５０の位置をロックしているので、クランパアーム１０のディスク圧着方向への回動とともに、ディスクストッパ２０とディスクＤ２の後端との間にクリアランスが生じ、再生時に回転するディスクＤ２の縁にディスクストッパ２０が接触することがなく、ディスクＤ２の回転動作が安定する。さらに、ラックＲ２はディスクチャッキング機構のギア等と噛み合うことにより、センサアーム５０の付勢部５０ｃに付勢された位置よりもさらに前方に移動するので、ディスクＤ２の再生中は、付勢部５０ｃとラックＲ２は当たっていない。
【００３９】
［１２ｃｍディスク排出時］
さらに、ローディングローラＡによって１２ｃｍディスクＤ２が排出される時には、ディスクチャッキング機構によってディスクＤ２が解放され、シフトレバーがセンサアーム５０のロックを解除するので、ディスクストッパ２０の当接部２０ｂが、ディスクＤ１の後縁に当接する。すると、ディスクＤ２の前方移動とともに、スライダ２０ａがスライド溝１０ａの前端に当接して初期位置に復帰するまで、引張コイルばね６０の付勢力によってストッパリンク３０が図中反時計方向に回動する。同時に、図４に示すように、ストッパリンク３０におけるカム穴３０ｃの規制部Ｓ２に、センサアーム５０のカムピン５０ｂが入って後方に付勢されるので、センサアーム５０が後方にスライド移動する。
【００４０】
［３．実施の形態の効果］
以上説明したように、本実施の形態によれば、ディスクストッパ２０、ストッパリンク３０及びセンサアーム５によって、８ｃｍディスクＤ１及び１２ｃｍディスクＤ２をそれぞれ適切な位置に位置決めすることができ、しかも、これらの部材を初期状態へ復帰させるために、１つの引張コイルばね６０のみを備えれば済む。このため、部品点数が少なくなり、材料費及び加工費を抑え、製造コスト低減が可能となる。また、互いに接触して可動する部品の点数を削減できるので、種々の故障や低級音の発生等の可能性が減少し、信頼性を向上させることができる。
【００４１】
［４．他の実施の形態］
本発明は、上記のような実施の形態に限定されるものではない。例えば、各部材の外形及び溝や穴の形状等は、上述の機能を達成できるものであれば、図示したものには限定されない。また、軸、ピン、ダボ等の突出部分については、上述の機能を達成できる突出形状が存在すればよく、例えば、各部材と一体に形成された突起であってもよい。また、弾性部材は、ストッパリンクとセンサアームを初期状態に復帰させることができるものであれば、引張コイルばねには限定されない。そして、本発明は、大小２種の径のディスクを区別して位置決めできるものであるが、対象となるディスクは８ｃｍと１２ｃｍのディスクには限定されない。記録媒体としてのディスクの種類や規格も特に限定されない。さらに、本発明は、ディスクの再生のみならず、ディスクの記録再生が可能なディスク装置にも適用可能である。
【００４２】
【発明の効果】
以上説明したように、本発明によれば、部品点数が少なく、低コストで高い信頼性が得られるディスク位置決め機構を提供することができる。
【図面の簡単な説明】
【図１】本発明のディスク位置決め機構の一つの実施の形態を示す平面図である。
【図２】図１の実施の形態における８ｃｍディスク挿入時を示す平面図である。
【図３】図１の実施の形態における８ｃｍディスク位置決め時を示す平面図である。
【図４】図１の実施の形態における１２ｃｍディスク挿入時を示す平面図である。
【図５】図１の実施の形態における１２ｃｍディスク搬送途中を示す平面図である。
【図６】図１の実施の形態における１２ｃｍディスク位置決め時を示す平面図である。
【図７】従来のディスク位置決め機構の一例を示す平面図である。
【図８】図７の従来例における８ｃｍディスク挿入時を示す平面図である。
【図９】図７の従来例における８ｃｍディスク位置決め時を示す平面図である。
【図１０】図７の従来例における１２ｃｍディスク挿入時を示す平面図である。
【図１１】図７の従来例における１２ｃｍディスク搬送途中を示す平面図である。
【図１２】図７の従来例における１２ｃｍディスク位置決め時を示す平面図である。
【符号の説明】
１，１０…クランパアーム
１ａ，１０ａ…スライド溝
１ｂ，１０ｂ…ガイド穴
２，２０…ディスクストッパ
２ａ，２０ａ…スライダ
２ｂ，２０ｂ…当接部
３，３０…ストッパリンク
３ａ，３０ａ…軸
３ｂ，３０ｂ…ダボ
４…ロックリンク
４ａ…規制穴
４ｂ…カム穴
４ｃ…付勢部
５，５０…センサアーム
５ａ，５０ａ…軸
５ｂ，５０ｂ…カムピン
５ｃ…センサピン
１０ｃ…ストッパリンク用軸穴
１０ｄ…センサアーム用軸穴
１０ｅ…停止部
３０ｃ…カム穴
２０ｃ…板ばね部
５０ｃ…付勢部
５０ｄ…接触部
Ａ…ローディングローラ
Ｄ１，Ｄ２…ディスク
Ｒ１，Ｒ２…ラック
Ｓ１，Ｓ２…規制部
Ｘ…ドライブユニット
【図１】
0004211964.tif 000002
【図２】
0004211964.tif 000003
【図３】
0004211964.tif 000004
【図４】
0004211964.tif 000005
【図５】
0004211964.tif 000006
【図６】
0004211964.tif 000007
【図７】
0004211964.tif 000008
【図８】
0004211964.tif 000009
【図９】
0004211964.tif 000010
【図１０】
0004211964.tif 000011
【図１１】
0004211964.tif 000012
【図１２】
0004211964.tif 000013